(57)【特許請求の範囲】
【請求項１】
所定の口座に関連付けられた電力消費情報であって、電力分配システムから電力を受けた期間に対応する時間セグメントに対応する電力消費情報を取り出す工程と、
電力生成のためのカーボンファクターであって、前記電力分配システムから電力を受けた時を特定する前記時間セグメントに対応し、且つ、前記所定の口座に関連付けられた電力消費に伴う電力を前記対応する前記時間セグメントにおいて生成する際の単位電力あたりのカーボンクレジットであるカーボンファクターを取り出す工程と、
前記時間セグメントに対応する前記取り出されたカーボンファクターおよび前記取り出された電力消費情報に基づいてカーボンクレジットを計算する工程と、を含む
ことを特徴とする方法。
【請求項２】
所定の口座に関連付けられた電力消費情報であって、請求期間内の複数の時間セグメントに対応する消費情報を含む電力消費情報を受信する工程と、
請求期間内の複数の時間セグメントに対応する生成情報を含む電力生成情報を受信する工程と、
前記電力消費情報に応じた電力を生成する際の単位電力あたりのインセンティブであるインセンティブファクターを受信する工程と、
前記受信した電力消費情報と、前記受信した電力生成情報とを時間セグメントで関連付ける工程と、
前記受信したインセンティブファクター、並びに、前記関連付けられた前記受信した電力消費情報および前記受信した電力生成情報に基づいてインセンティブを計算する工程と、を含み、
前記インセンティブはカーボンクレジットであり、前記電力消費情報に応じた電力を生成する際のカーボンの正味放出は、前記所定の口座によるカーボンクレジットの使用を生じさせる
ことを特徴とする方法。
【請求項３】
第１口座に関連付けられた電力消費情報であって、電力分配システムから電力を受けた時に対応する時間セグメントに対応する電力消費情報を取り出す工程と、
前記電力分配システムについての単位電力あたりのカーボンクレジットであるカーボンファクターであって、前記電力分配システムから電力を受けた時を特定する前記時間セグメントに対応し、且つ、前記第１口座に関連付けられた電力消費による前記対応する時間セグメントにおけるカーボン放出の変動に対応するカーボンファクターを取り出す工程と、
第２口座に関連付けられた電力生成情報であって、前記電力分配システムから電力を受けた時に対応する前記時間セグメントに対応する電力生成情報を取り出す工程と、
前記第１口座によるカーボン使用又は拒否の場合の前記第２口座に関連付けられたカーボンクレジットの計算を示す第２口座カーボンクレジットファクター情報を取り出す工程と、
電力生成のためのカーボンファクターであって、前記電力分配システムから電力を受けた時を特定する前記時間セグメントに対応するカーボンファクターを取り出す工程と、
前記第２口座に関連付けられたカーボンクレジットを、前記取り出された電力生成のためのカーボンファクター、前記取り出された前記電力分配システムについてのカーボンファクター、前記取り出された電力生成情報、前記取り出された第２口座カーボンクレジットファクター情報、及び、前記時間セグメントに関連付けられ、前記取り出された電力消費情報にしたがって計算する工程と、を含む
ことを特徴とする方法。
【請求項４】
所定の口座に対応する電力消費情報を取り出す工程と、
前記所定の口座により用いられた電力を生成する際の単位電力あたりのカーボンクレジットを含むインセンティブであるインセンティブファクターを含む電力生成情報を取り出す工程と、
前記取り出された電力消費情報及び前記取り出された電力生成情報をインセンティブ計算部に送る工程と、
前記所定の口座による電力消費に対応する環境インセンティブを受け取る工程と、
前記受け取った環境インセンティブを前記所定の口座に適用する工程と、
前記所定の口座による電力消費に対応する環境インセンティブを計算する工程と、
前記計算された環境インセンティブを、前記受け取った環境インセンティブと比較する工程と、
前記計算された環境インセンティブが前記受け取った環境インセンティブに一致しない場合には、前記所定の口座に対応するエラーメッセージを発行する工程と、を含む
ことを特徴とする方法。
【請求項５】
所定の口座に対応する電力消費情報であって、ある請求期間内の複数の使用間隔を含む電力消費情報を取り出す工程と、
前記所定の口座によって消費された電力に対応する環境インセンティブファクターであって、前記所定の口座により用いられた電力を生成する際の単位電力あたりのカーボンイクレジットであるカーボンファクターを含む環境インセンティブファクターを含み、且つ、ある請求期間内の生成間隔を更に含む電力生成情報を取り出す工程と、
前記取り出された電力生成情報及び前記取り出された電力消費情報に基づいて環境インセンティブを計算する工程と、を含み、
前記環境インセンティブを計算する工程は、
前記請求期間内の複数の時間間隔について、前記取り出された電力生成情報と前記取り出された電力消費情報とを相互に関連付ける工程と、
少なくとも１つの環境インセンティブファクターを適用する工程と、を含み、
前記環境インセンティブファクターは、キャップ・アンド・トレードシステムに関連付けられたクレジットである
ことを特徴とする方法。
【請求項６】
前記環境インセンティブファクターは、少なくとも１つの生成源の種類に対応する、
ことを特徴とする請求項５に記載の方法。
【請求項７】
電力生成情報と電力消費情報との請求期間内の複数の時間セグメントにわたるマッチングすることにより、前記電力生成情報及び前記電力消費情報に従ってカーボンクレジットの使用量を計算する工程と、
前記カーボンクレジットの使用量に基づいて、ある口座残高におけるカーボンクレジットの数が充分であるかを判断する工程と、
前記口座残高における前記カーボンクレジットの数が不充分であると判断された場合は追加的にカーボンクレジットの購入を開始する工程と、を含む、
ことを特徴とする方法。
【請求項８】
追加的にカーボンクレジットの購入を開始する前記工程は、市場で応札する工程を含む、
ことを特徴とする請求項７に記載の方法。
【請求項９】
電力生成情報と電力消費情報との請求期間内の複数の時間セグメントにわたるマッチングすることによって前記電力生成情報及び前記電力消費情報に従ってカーボンクレジットの使用量を計算する工程と、
前記カーボンクレジットの使用量に基づいて、ある口座残高におけるカーボンクレジットの数が充分であるかを判断する工程と、
前記口座残高における前記カーボンクレジットの数が不充分であると判断された場合は、予測される不足を示すカーボンクレジット低残高予測警告を提供する工程と、を含む、
ことを特徴とする方法。
【請求項１０】
口座残高におけるカーボンクレジットの数が充分であるか判断する前記工程は、過去の使用情報を含む、
ことを特徴とする請求項９に記載の方法。
【請求項１１】
口座残高におけるカーボンクレジットの数が充分であるか判断する前記工程は、過去の使用情報及び現在の使用傾向情報を含む、
ことを特徴とする請求項９に記載の方法。
【請求項１２】
口座残高におけるカーボンクレジットの数が充分であるか判断する前記工程は、前記口座残高が、設定可能な口座残高の閾値にマッチするか又は下回るかを判断する工程を含む、
ことを特徴とする請求項９に記載の方法。
【請求項１３】
電力生成情報及び電力消費情報に従ってカーボンクレジットの使用量を計算する工程と、
前記カーボンクレジットの使用量に基づいて、ある口座残高におけるカーボンクレジットの数が充分であるかを判断する工程と、
前記口座残高における前記カーボンクレジットの数が不充分であると判断された場合は第２カーボンクレジット口座からカーボンクレジットを取り出す工程と、を含む、
ことを特徴とする方法。
【請求項１４】
第１カーボンクレジット口座は電気ユーティリティに関連付けられ、
前記第２カーボンクレジット口座はカーボンクレジット取引口座である、
ことを特徴とする請求項１３に記載の方法。
【請求項１５】
ある時間のある地点における電力消費量を識別する電力消費情報を受信する工程と、
前記ある時間において消費された電力を生成する際の単位電力あたりのカーボンクレジットであるカーボンファクターを取り出す工程と、
前記ある時間について取り出されたカーボンファクターと前記ある時間に関連付けられた前記受信した電力消費情報とに基づいて、カーボンクレジットに関連する値を計算する工程と、
前記ある地点において前記計算された値の印を表示部に表示する工程と、を含む、
ことを特徴とする方法。
【請求項１６】
前記値は、電力使用に基づいてカーボンクレジットが消費される率を含む、
ことを特徴とする請求項１５に記載の方法。
【請求項１７】
前記印は、前記計算された値を含む、
ことを特徴とする請求項１６に記載の方法。
【請求項１８】
前記印は、前記計算された値が所定の閾値より高いことを示す表示を含む、
ことを特徴とする請求項１６に記載の方法。
【請求項１９】
前記印は、前記計算された値が所定の範囲内であるか否かを示す表示を含む、
ことを特徴とする請求項１６に記載の方法。
【請求項２０】
前記値は、電力使用に基づいて消費されたカーボンクレジットの量を含む、
ことを特徴とする請求項１５に記載の方法。
【請求項２１】
前記印は、口座に残っているカーボンクレジットの量を含む、
ことを特徴とする請求項２０に記載の方法。
【請求項２２】
前記印は、口座のカーボンクレジットが使い尽くされるまでの予測された時間を含む、
ことを特徴とする請求項２０に記載の方法。
【請求項２３】
前記印は、計算されたカーボンクレジットに関連付けられたコスト値を含む、
ことを特徴とする請求項１５に記載の方法。
【請求項２４】
ある時間のある地点における電力消費量を識別する電力消費情報を受信する工程と、
前記ある時間において消費された電力を生成する際の単位電力あたりのカーボンクレジットであるカーボンファクターを取り出す工程と、
前記ある時間について取り出されたカーボンファクターと前記ある時間に関連付けられた前記受信した電力消費情報とに基づいて、カーボンクレジットに関連する値を計算する工程と、
前記ある地点における前記計算された値の印を表示する工程と、
前記計算された値に基づいて前記ある地点における少なくとも１つの電気消費装置の動作を自動的に制御する工程と、を含む、
ことを特徴とする方法。
【請求項２５】
前記装置は、計算された値が相対的に高い値及び低い値の期間に関連する過去のデータに基づいて制御される、
ことを特徴とする請求項２４に記載の方法。
【請求項２６】
前記計算された値は、カーボンクレジットが消費される率を含み、
前記装置は、前記率が既定値を超えるときに、選択的に非活性化される、
ことを特徴とする請求項２４に記載の方法。
【請求項２７】
前記計算された値は、消費されたカーボンクレジットの量を含み、
前記装置は、前記量が既定値を超えるときに、選択的に非活性化される、
ことを特徴とする請求項２４に記載の方法。
【請求項２８】
前記計算された値は、口座に残っているカーボンクレジットの量を含み、
前記装置は、前記量が既定値を下回るときに、選択的に非活性化される、
ことを特徴とする請求項２４に記載の方法。
【請求項２９】
前記計算された値は、カーボンクレジットが購入できるコストを含み、
前記装置は、前記コストが既定値を超えるときに、選択的に非活性化される、
ことを特徴とする請求項２４に記載の方法。
【請求項３０】
前記値は、電力使用に基づいてカーボンクレジットが消費される率を含む、
ことを特徴とする請求項２４に記載の方法。
【請求項３１】
前記値は、電力使用に基づいて消費されたカーボンクレジット値を含む、
ことを特徴とする請求項２４に記載の方法。
【請求項３２】
前記印は、口座に残っているカーボンクレジット値を含む、
ことを特徴とする請求項３１に記載の方法。
【請求項３３】
前記印は、口座のカーボンクレジットが使い尽されるまでの見積もり時間を含む、
ことを特徴とする請求項３１に記載の方法。
【請求項３４】
前記印は、計算されたカーボンクレジットに関連するコスト値を含む、
ことを特徴とする請求項２４に記載の方法。
【発明の詳細な説明】
【技術分野】
【０００１】
本発明は、環境インセンティブを適用する方法及びシステムに関する。
【背景技術】
【０００２】
技術の進行とともに世界の人々の生活水準も同時に進み、そのような成長を支えるためのエネルギーの需要が増え続ける速度で上昇している。様々な形の大量のエネルギーの製造及び利用は、地球の全般的な環境の質に悪影響を及ぼすことが知られており、そのような製造及び／又は利用が行われる地域においては局部的により強い影響があることが知られている。例えば、発電のための石炭の燃焼、そして車両及び他の機械を稼働させるための石油商品の燃焼は生き物に害を及ぼし得る有毒ガスを放つ。エネルギーの生成及び利用による副産物である、“温室ガス”とも呼ばれる他の気体は、有毒ではないが、環境に悪影響を及ぼし得る。よく知られている効果として、地球のオゾン層における二酸化炭素放出による影響、そしてそれによる地球温暖化への寄与がある。
【０００３】
エネルギー利用による悪影響に対抗するために、様々な者によるエネルギー消費を低減させるための色々なインセンティブが開発されている。その１つとして“カーボンクレジット”というものがある。要するに、製造工場のような団体は、消費するエネルギー量又はその消費による排気ガス量によって、妥当であると思われるカーボンクレジットが与えられる。団体が、ペナルティを発生させずに、与えられたカーボンクレジットより多くのエネルギーを消費する必要がある場合は、追加的なクレジットを取得しなければならない。反対に、団体に与えられたすべてのクレジットを利用しなくてもいい場合は、そのクレジットを必要とする他の団体に譲渡することができる。
【発明の概要】
【発明が解決しようとする課題】
【０００４】
今までは、カーボンクレジットのような環境インセンティブの適用は、大量のエネルギーを消費し及び／又は環境に有害な排気ガスを作り出す製造施設のような大きい存在に主に対してその範囲が限られていた。しかし、環境インセンティブはより広い範囲で適用され、全てのエネルギーの消費者及び製造者に適用されるようになることが望ましい。
【０００５】
より世界的なレベルでは、活動による真の負担が露出されていない如何なる活動にインセンティブを適用できる機構を開発することが望ましい。そのような活動の例としては、水のような希少な資源又は限られた資源の利用、又は紛争ダイアモンドのような問題となっている品の取引を含む。
【課題を解決するための手段】
【０００６】
電気消費に関する例示的な実施形態では、ある口座における電気消費に関する情報は、電気分配システムから電気を受けた期間に対応する時間セグメントに関連付けられる。電気分配システムから電気を受けた時刻を特定する、対応する時間セグメントに関する発電カーボン効果情報が読み出される。発電カーボン影響情報は、対応する時間セグメントにおける発電による排気カーボンを示す。読み出された発電カーボン影響情報にしたがってカーボンクレジットが計算され、読み出された電気利用情報は該時間セグメントに関連付けられる。計算されたカーボンクレジットはカーボンクレジット関連情報の表示（例えば、口座残高、カーボンクレジットの使用速度、カーボンクレジット使用の現在の“費用”等）を更新するために用いられる。これらの情報いずれが閾値を超えると、消費者にお知らせを提供し得る。追加的に、又は代わりに、カーボンクレジットに関する情報は、電気を消費する装置の作動を自動的に制御するために用いられ得る。
【０００７】
上記のカーボン関連シナリオは例示的なものである。ここに説明された全体的なシステム及び提案は、エネルギー生成、伝送、消費に直接または間接に関わる他の物質及び結果（例えば、“二酸化硫黄クレジット”、“原子廃棄物クレジット”、“伝送回線高周波放出”、“発電所建設のための伐木負債”等）に対してもその測定及び影響追跡に直接適用できる。
【図面の簡単な説明】
【０００８】
【図１】ある実施形態による、ユーティリティネットワークの一般化されたブロック図である。
【図２】ある実施形態による、ユーティリティグリッド及び関連する項目の一般化されたブロック図である。
【図３−Ａ】ある実施形態による、スマートグリッドデータ管理システムの一般化されたブロック図である。
【図３−Ｂ】異なる実施形態による、スマートグリッドデータ管理システムの一般化されたブロック図である。
【図３−Ｃ】さらなる実施形態による、スマートグリッドデータ管理システムの一般化されたブロック図である。
【図３−Ｄ】さらなる実施形態による、異なるユーティリティのスマートグリッドデータ管理システムとともに作動するスマートグリッドデータ管理システムの一般化されたブロック図である。
【図４】ある実施形態による、インセンティブの計算のために使用データと生成データとを関連付ける工程のフローチャートである。
【図５−Ａ】ある実施形態による、インセンティブ情報を表示するための、サーモスタット上の表示の一般化されたブロック図である。
【図５−Ｂ】異なる実施形態による、インセンティブ情報を表示するための表示の一般化されたブロック図である。
【図５−Ｃ】ある実施形態による、車両においてインセンティブ情報を表示するための表示の一般化されたブロック図である。
【図６】ある実施形態による、他の装置と相互作用する表示の一般化されたブロック図である。
【図７】ある実施形態による、表示を更新工程及び表示と通信する工程のフローチャートである。
【発明を実施するための形態】
【０００９】
図１は、本発明の実施形態を実行するために用いられ得るユーティリティ（電気・ガス・水道など）ネットワーク１００の一般化されたブロック図である。ユーティリティネットワーク１００は一つ以上の電子装置１０１を含み得る。好ましい実施形態では、電子装置１０１は無線ＬＡＮ１０２で繋がり得る。ユーティリティネットワークの例では、ＬＡＮは該ユーティリティのための領域又はサービスエリアに対応するＮＡＮ（ｎｅｉｇｈｂｏｒｈｏｏｄ  ａｒｅａ  ｎｅｔｗｏｒｋ）であり得る。例示的な実施形態に示されているように、複数の重複し得るＬＡＮを用いてもよく、その結果１つの電子装置は１つの無線ＬＡＮ又は複数の無線ＬＡＮに接続され得る（又はその一部になる）。電子装置はいかなる種類の電子装置でありうる。電子装置の例としては、ユーティリティノードを含み、該ユーティリティノードはユーティリティメータを含み得、又はユーティリティメータに接続され得る。ユーティリティメータは、主に電気、水、天然ガス等の定量化された商品を測定することができる装置である。ユーティリティメータに接続されるユーティリティノードは，ネットワーク上で通信を可能とするネットワークインタフェースカード（ＮＩＣ）を含み得、１つ以上の無線ＬＡＮ上の通信のための１つ以上のＲＦ送受信機を含み得る。電子装置の他の例は、セットトップボックス（ケーブル放送又は衛星放送に用いられるようなもの）、家電（例：冷蔵庫、ヒーター、照明、調理器具等）、コンピュータ又はコンピューティング装置（例：記憶装置、ＰＣｓ、サーバ等）、ネットワーク装置（リレー、ゲートウェイ、アクセスポイント、ルータ等）、電話又は携帯電話、バッテリ保存装置、運送装置、（例：電気又はハイブリッド車又は他の車両）、娯楽装置（例：テレビ、ＤＶＤプレーヤ、ゲーム機等）、又は家、会社、道路、駐車場等の場所にあり得る他の装置を含む。リレーは電気装置１０１と無線ＬＡＮ１０２との間で通信を処理し得る。例えば、リレーは電気装置と無線ネットワークのインフラとの間で通信を提供できる。特別の定めのない限り、ネットワーク内の他の装置（メータ、電子装置等）もリレーとして機能でき、リレーも他のジェットワーク上の装置又はソフトウェアとして機能できる。無線ＬＡＮ１０２はいかなる種類の無線ＬＡＮであり得、いかなる周波数、通信チャンネル、又は通信プロトコルを使用し得る。
【００１０】
もちろん、ＬＡＮ１０２は部分的に又は全体的に有線であってもいい。例えば、電力分配ネットワークの場合、ＬＡＮは電力線通信（ＰＬＣ）、銅ツイストペア、光ファイバ等で実施され得る。他の適切な有線ネットワーク技術も同様に用いられ得る。様々な技術がネットワークの特定の領域に用いられ、又は複数の技術がネットワークのいかなる領域において同時に用いられ得る。この柔軟性を確保するために、通信に用いられるＮＩＣは一つ以上の技術のサポートを含み得る（例えば、ＰＬＣトランシーバと合体された無線通信のためのＲＦトランシーバ、並びに銅ツイストペアのためのイーサネット（登録商標）と合体されたＲＦ及びＰＣＬトランシーバ、又は複数の通信搬送オプションを提供するために必要な如何なる組み合わせをも含みうる）。
【００１１】
ＬＡＮ１０２は通常１つ以上のアクセスポイント（ＡＰ）１０３に繋がっている。与えられたＬＡＮは、１つのＡＰだけに繋がってもよく、又は複数のＡＰに繋がってもよい。ＡＰ１０３は１つ以上の広域ネットワーク（ＷＡＮ）１０４に繋がり得る。ＷＡＮ１０４は１つ以上のバックオフィスシステム（ＢＯＳ）１０５に繋がり得る。ＢＯＳは、計測情報の収集に参加、計測装置の管理、ネットワークの保護、又は高度の計測インフラ（Ａｄｖａｎｃｅｄ  Ｍｅｔｅｒｉｎｇ  Ｉｎｆｒａｓｔｒｕｃｔｕｒｅ，  ＡＭＩ）が必要とし得る他の機能などを含む様々なビジネス又は管理の任務をこなし得る。ＢＯＳの例としては、請求経理システム、プロキシサーバ、（ユーティリティネットワークで使用され得る）供給停止状態検出システム、データ保存システムを含む。
【００１２】
通信ネットワーク内のノード（ＬＡＮ、ＷＡＮ、又はその両方組み合わせ）は、１つ以上の私有又は公共のプロトコルを用いて通信し得る。ノードは電子装置、リレー、ＡＣ，ルータ、又はＢＯＳを含み得る。公共のプロトコルの場合、例えばＩＰｖ６を用いて通信できるノードもあれば、ＩＰｖ４を用いて通信できるノードもあり、そしてＩＰｖ６とＩＰｖ４のいずれかで通信できるノードもある。いくつかのノードはＩＰｖ６パケットをＩＰｖ４パケット内に封入することができる。ノード間の通信は、より具体的には後で説明される。
【００１３】
図２は、電気ユーティリティ２０１が顧客２０２に送電線２０３及び／又は分配システム２０４を介して電気を供給するユーティリティグリッド２００の一般化されたブロック図である。電気ユーティリティ２０１は自ら発電源を持ち得（不図示）、又は他のユーティリティあるいは独立発電機２０５からの発電を用い得る。ユーティリティに供給される電気の市場は１つ以上の団体（例えば、独立システムオ―ペレタ（Ｉｎｄｅｐｅｎｄｅｎｔ  Ｓｙｓｔｅｍ  Ｏｐｅｒａｔｏｒ，  ＩＳＯ）２０６によって調整又は管理され得る。通常は、ユーティリティは顧客による使用の計測及びその請求を行う責任があるが、それらのサービスは他の組織とともに行い得、又は代わりに行ってもらえる。カーボンクレジットのようなインセンティブは、ユーティリティによって割り当てられ得、又は個別のクレジット割り当て組織２０７によって割り当てられ得る。インセンティブはユーティリティにおいて顧客口座に割り当てられ得、又はインセンティブ機関２０８における個別のインセンティブ口座に割り当てられ得る（例えば、仲買業務はカーボンクレジットのようなインセンティブのための口座を許可し得、口座の持ち主が金融商品として売買、取引、又は他のサービスを許可し得る）。インセンティブ機関２０８は他の組織（例えば、ユーティリティ、独立発電所、送電線のようなインフラの所有者、又は他の組織又は人のための口座を有し得る。インセンティブはカーボンクレジット市場、先物、オプション市場、又は他のいかなる市場のような、市場２０９で取引され得る。
【００１４】
図３Ａは、ユーティリティグリッドのソフトウェアおよび情報要素の一般化されたブロック図である。生成施設３２０は少なくとも１つの生成管理システム３２１を有し、該生成管理システムは少なくとも生成施設の一部を管理する。生成施設の例としては、石炭発電所、ガス発電所、原子力発電所、太陽発電施設、風力タービン施設等を含む。生成施設は、高電圧送電線のような伝送施設３２２の少なくとも１つに電力を供給する。伝送施設３２２は少なくとも１つの伝送管理システム３２３を有し、該伝送管理システムは少なくとも伝送施設の一部を管理する。
【００１５】
伝送施設３２２は、電気の顧客である住宅顧客、商業顧客、及び／又は政府顧客に電力を分配する分配システム３２４の少なくとも１つに電力を供給する。分配システム３２４はサブステーション、変圧器、局所の送電線、蓄電器バンク、及びその他の電気供給に用いられるシステム又は装備を含み得る。分配システム３２４は少なくとも１つの分配管理システム３２５を有し、該分配管理システムは分配システムの少なくとも一部を管理する。電力計測機（又は電力計測及び／又は監視システム）３２６は電力計測管理システム（ＡＭＩネットワーク管理システムのようなもの）に繋がっている。
【００１６】
ＡＭＩ管理システム３２７、分配管理システム３２５、伝送管理システム３２３及び生成管理システム３２１はスマートグリッド管理システム３２８に繋がり得る。グリッド管理システム３２８（又はスマートグリッドデータ管理システム）は様々なＡＭＩ管理システム３２７、分配管理システム３２５、伝送管理システム３２３及び生成管理システム３２１を、情報交換と、様々な活動の調整と、ユーティリティ、その顧客そのパートナ（経理システム、ＥＲＰシステム、報告システム等）及び／又は第三者によって使用される他のシステムとの接続と、ができるようにし、更にそのようなシステムで利用できるデータをユーティリティ、その従業員、顧客及び／又はそのパートナがアクセスできるようにする。
【００１７】
図３Ｂは、ソフトウェア及び情報要素の異なる実施形態を示すユーティリティグリッドの一般化されたブロック図である。分配システム３２４及び電力計測機（又は電力測定及び／管理システム）３２６は、ＡＭＩ管理システム、伝送管理システム、生成管理システム及び／又は分配システム管理システムの一部又は全部の機能を実行するグリッド管理システム３２８に接続する。グリッド管理システムによって１つ以上の管理システムが実行されない場合は、別個の管理システムが存在し得、グリッド管理システム及び１つ以上の施設の両方に通信し得る。
【００１８】
図３Ｃはソフトウェアと情報要素の異なる実施形態を示すユーティリティグリッドの一般化されたブロック図である。生成施設３２０、伝送施設３２２、分配システム３２４及び電力計測器（又は電力計測及び／又は監視システム）３２６は、AMI管理システム、伝送管理システム、生成管理システム及び／又は分配管理システムの一部又は全ての機能を行うグリッド管理システムに接続する。1つ以上の管理システムがグリッド管理システムによって実行されない場合は、個別の管理システムが存在し、グリッド管理システム及び１つ以上の施設の両方と通信し得る。
【００１９】
図３Ｄはソフトウェア及び情報要素の異なる実施形態を示すユーティリティグリッドの一般化されたブロック図である。ある１つのユーティリティグリッドに関連付けられた管理システム３２８は、他のユーティリティに関連付けられた１つ以上のグリッド管理システムに接続される。図示されているように、ユーティリティＡに関連付けられたグリッド管理システムは、ユーティリティＢ，Ｃ，Ｄに関連付けられたグリッド管理システムに接続し、ユーティリティＢに関連付けられたグリッド管理システムは、ユーティリティＡに関連付けられたグリッド管理システムだけに直接接続される。ユーティリティＡに関連付けられたグリッド管理システムは、ユーティリティＢに関連付けられたグリッド管理システムを、ユーティリティＣ及び／又はＤに関連付けられたグリッド管理システムに接続し得、又はユーティリティＣ及び／又はＤに関連付けられたグリッド管理システムからのデータを、ユーティリティＢに関連付けられたグリッド管理システムに提供し得、又はユーティリティＣ及び／又はＤに関連付けられたグリッド管理システムへのアクセスまたはそこからのデータに、ユーティリティＢに関連付けられたグリッド管理システムに提供しなくても良い。あるユーティリティのグリッド管理システムは、もしそのグリッド管理システムからのデータが他のユーティリティからの１つ以上の中間グリッド管理システムを通ったとしても、そのシステムからのデータをどのグリッド管理システムが受信するかを制御し得る。例えば、ユーティリティＢに関連付けられたグリッド管理システムは、ユーティリティＡに関連付けられたグリッド管理システムから提供されるべきデータの生成及び伝送を、ユーティリティＣに関連付けられたグリッド管理システムには許可し、ユーティリティＤに関連付けられたグリッド管理システムには許可しなくても良く、それと同時にユーティリティＡに関連付けられたグリッド管理システムだけユーティリティＢに関連付けられたグリッド管理システムからのＡＭＩデータの一部を受信しても良い。データへのアクセスはユーティリティにおけるユーザ、部門、ユニット（そのようなユニットがどのようにユーティリティのほかの機能及び部分から整理又は分離されているかにかかわらず、またユニットが従業員、顧客、パートナ、調整者、又はその他、あるいはこれらの組み合わせを含むかどうかにかかわらず）、時間、許可又は許可チケット、条件（緊急、監査条件またモードなど）等によって更に制限され得る。
【００２０】
グリッドデータ管理システムのそのようなネットワークは電力分配グリッド全体の作動を適切なレベルに保つユーティリティ間の取引を促す。たとえば、あるユーティリティが自らの発電能力の限度に近づいていることを検出すると、他のユーティリティに発電の負荷を受け入れてもらい、最初のユーティリティに追加的な能力を与えるように要請を生成し得る。市場に基づく方法を用いてそのような取引を実行することができる。例えば、ユーティリティBは追加的な電力に対する支払いをユーティリティAにすることができる。その代わり、ユーティリティAはユーティリティCに負荷を受け入れ、ユーティリティAの負荷の低減による過剰電力を提案された値段又はそれ以下の値段で提供するように要請することができる。このようにユーティリティ同士が直接通信することとは異なる代案として、過剰電力の交換を取引所などの、ユーティリティの各々と通信する中心施設を解して行うこともできる。
【００２１】
取引に加えて、個別及び連結されたグリッドデータ管理システムは他のユーティリティ内外の通信（例えば、ソーシャルネットワーク及び／又はメッセージボード機能）を促すことができ、運用におけるベストプラクティス、ビジネスプロセスの改善、グリッド及びネットワーク管理方策、規制及び他の方策に関連するもの、経営者の変更、販売員選択の過程、販売商品機能評価、パイロット結果、ビジネスケースシナリオ、使用ケースシナリオ、プログラム管理経験などの情報をユーティリティの職員が交換できるようになる。個別のグリッドデータ管理システムは、ユーティリティにおける特定のグループ又は者にアクセスを制限し得る。同様に、連結されたシステムは特定の他のユーティリティ、そして特定のユーティリティにおける特定のグループ又は者だけにデータを交換するようにアクセスを制限し得る。そのような如何なるシステムも、制限／制御されたアクセスをパートナ、販売者又は調整者等に提供できる。
【００２２】
そのようなネットワークによって広まったデータはユーティリティ以外の組織によっても用いられ得る。例えば、プラグインハイブリッド電気車両（ＰＨＥＶ）の場合は、各車両が充電器に接続されると、顧客の口座に正しく請求されるように固有の識別子を提供し得る。その識別子は、捜査当局者によって追跡用途にも使用され得る。盗難されたＰＨＥＶの識別子はリストされ得、その中に含まれる車両が充電器に接続されて検出され、又は他の方法でユーティリティのスマートグリッドネットワークによって検出され（例えば、近くにあるユーティリティ計測器のＲＦトランシーバと、それと通信する車両内のＲＦトランシーバとの間）、その後車両の位置をグリッドデータ管理システムのネットワークを介して捜査当局者に伝え、車両を回収できるようにする。
【００２３】
異なる例としては、スマートシティ（Ｓｍａｒｔ  Ｃｉｔｙ）のような環境では、顧客が取引を行う位置と、顧客の自宅又は職場との間で情報を伝達できる。例えば、顧客が冷凍商品を食料品店で購入すると（商品コードの光学読取装置及びクレジットカード番号の入力又は顧客ローヤルティ番号によって検出されるように）、顧客の自宅のホームエリアネットワークに信号が送られ得る。それに対して、冷凍庫が温度を数度落とすような指示を送信し、その冷凍庫に保存されることになる冷凍食品のための用意をする。
【００２４】
スマートシティの環境は、ユーティリティのネットワークとグリッド管理システムとを統合しうる様々なエリアを提供する。ネットワークレベルでは、様々な監視、センシング、及び制御装備がユーティリティの既述されたＬＡＮ,ＮＡＮ，及びＷＡＮと、次のように統合され得る。様々な局地的又は個人的装置（街路照明、交通信号機、橋振動センサ、交通管理システム、駐車メータ、敷地防犯システム、局所又は大規模再生可能発電装置（太陽、風力、バイオマス等）を含むが、これらに限らない）内の同様なインタフェースに繋がっている、ユーティリティネットワークインフラ内の通信インタフェース（無線又は有線に関わらず）等。これらの通信インタフェースを介して送信されたデータはアプリケーション特有のデータ（例えば、“駐車時間超過”）、アプリケーション特有の制御（例えば、“交通信号をＯｎ／Ｏｆｆ）、エネルギー消費データ、又は環境インパクトデータ（例えば、“高速道路１号は毎月百万台の車両が通過し、Ｘのカーボンフットプリントを生成する”）を含み得る。このデータ及び制御はその全体としてユーティリティグリッド管理システムを介して、そこから第３者システム（例えば、敷地防犯管理システム、交通情報システムを見ている消費者等）に流れ得る。代わりに、データ及び制御の一部はユーティリティシステムを解して流れ（例えば、エネルギー消費及び環境データ）、ほかのデータ及び制御は第３者システムと最終的装置の間を直接流れ得る（例えば、交通信号の制御は局地的な信号制御システムによって直接行われ得る）。
【００２５】
上記のスマートグリッド管理システム及び他の管理システムの例は、1つのスマートグリッド管理システムを有する1つのユーティリティの場合について説明しているが、異なる実施形態ではユーティリティは1つ以上のスマートグリッド管理システムを有し得る。さらに、生成管理システム、伝送管理システム、AMI管理システム、分配管理システム、又は他のシステムのような管理システムの一部又はすべては、その全体的に又は部分的に他のユーティリティ又は他の組織によって作動され得る。
【００２６】
スマートグリッド管理システムの1つの例としては、下記にように環境インセンティブを計算し、適用するシステムがあり、AMI、生成、伝送、請求システム、ERPシステム、CRMシステム、停電検出管理システム、規制システム、環境測定システム、及び仲介と取引のような金融システムからの情報を組み合わせ得る。
【００２７】
電力の消費者、並びに発電、分配、伝送、そして消費に関わる他の組織又は者は、環境インパクトの1つ以上の特徴と関連するインセンティブを、法律又は契約によって使用、支払い、交換、又は生成し得る。行動の変化を促すために適用され得るインセンティブは、値上げ／値下げ、課税又は精勤クレジット、クレジット（キャップ・アンド・トレードシステムに用いられるクレジットのようなもの）、料金、罰金、ロイヤルティポイント、又は他の種類のインセンティブ、誘因、又は金融手段を含み得る。
【００２８】
環境インパクトの１つは、二酸化炭素（ＣＯ２）のような温室ガスの大気への放出と、それによる望ましくない気候変化に関する懸念である。行動変化を促すために適用され得るインセンティブは、値上げ／値下げ／追加料金／ディスカウント、税金又は税金クレジット、キャップアンドトレードに用いられるクレジット、自発的クレジット又は回避手段などを含み得る。
【００２９】
他の形の環境インパクトは他の汚染物質を含み得（例えば、一酸化炭素、二酸化硫黄、硫黄、塩、カリウムなど）、煤又は微粒子の放出、減少している又は限られた資源の使用（石油又は清水など）、危険又は望ましくないと思われる資源（原子力発電など）、代わりの使用方法がある資源の使用（水、バイオ燃料、土地など）、野生生物又は景色に影響を及ぼす資源（風力、太陽、パイプラインなど）、エネルギー源の安定性及び信頼性（石油など）、国の安全又は他の問題（石油など）、又は他の問題になり得る環境インパクトを含み得る。
【００３０】
インセンティブの計算及び割り当ては複数の組織の参加を必要とし得、これは複数の組織がエネルギーグリッドの異なる特徴を制御するか、又はクレジット、経理、そしてインセンティブの使用において異なる役割を持ち得るからである。わかりやすく説明するために、ここに示された例の多くは家の所有者が1つのユーティリティから電力をもらい、その所有者がカーボンクレジットを使用又は受け取ることを説明している。記述したように、他の金融インセンティブを適用してもよく、他の環境要素を考慮してもよく（単独、他の環境事項と共に、又は二酸化炭素放出と合わせて）、他の組織がインセンティブの計算、割り当て、経理、検証、使用、販売、購入、報告、資金調達、又は取引に関わってもよい。
【００３１】
インセンティブの計算と適切な割り当てはリアルタイム、ほぼリアルタイム、又は後で行い得る。使用及び生成情報を時間に関連付けることで、インセンティブを秒以下の単位から時間、日、週、月、年、又はこれらの一部及び組み合わせのタイムスケールで適用できる。
【００３２】
これらのコンセプトを実行するためには、ユーティリティは様々なファクターを入力として受信し、それらに基づいて１つ以上の出力を生成するカーボンアクションエンジンを利用し得る。そのようなエンジンへの入力の例は、カーボンインパクト及び／又はカーボン価格を含み得る。カーボン価格は、キャップアンドトレード規則、市場価格、消費及びグリッド成績などのファクターから決定できる。そのようなエンジンの出力の例としては、特定の発力施設（例えば、石炭発電所）の停止する、特定のパーセント又は電力が供給される所定の負荷を減らす、及び／又は、カーボン価格をアップデートする、という決定があり得る。
＜使用データの間隔読み取り＞
【００３３】
電気使用データは読み出され、電気が使用された時間と関連付けられる。使用データと関連付けられた時間は、カーボンクレジット（又は他の需要を決定するインセンティブ）を計算するため、エネルギー生成データ（カーボンインパクト又は他のインパクトを特定する）と関連付けられた時間と、相互に関連付けられる。時間との関連付けは、電力を読み取る計測器、電力計測機と接続して作動する通信ノード、ユーティリティネットワーク上の他の電子装置、又は電力計測情報を受信するバックオフィスシステムによって行われ得る。
【００３４】
図４は、インセンティブ計算のために使用データと生成データを関連付ける一般的な工程４００を示すフローチャートである。ステップ４０１では使用情報は、使用時間と特定の口座（通常は、該口座は、例えば特定の人の家のような、特定の施設、人、又は組織であるが、施設の一部、複数の施設、又はこれらの如何なる組み合わせ、並びに複数の人又は組織でも良い）とに関連付けられる。使用時間は電気を使用した時間、電気計測器によって読まれた、又は電気計測器から読まれた使用時間、又は他の場所で使用情報を受信した時間であり得る。複数の使用時間セグメントに使用されたエネルギーを示す使用時間が１つの口座に複数あり得る。ある実施形態では、使用時間セグメントは、口座に伝達される電力の請求サイクルよりはるかに短く、該口座により、電気の使用に関する特徴を詳細にし得る。ある例示的な実施形態では、使用時間セグメントは時間単位であり得る。異なる実施形態では、異なるエネルギー生成源がユーティリティグリッドの中へ、及びそのグリッドから外へスイッチされる頻度と関連し得る。
【００３５】
使用情報は個々の装置に記録され得、又は別の装置で引き出し得る。例えば、通常の動作では単純に計測器が家全体の消費を記録し得る。しかし、ある時間においては、計測器は、より細かい時間単位で（例えば、１秒ごとに）消費、また、後に利用のためにそれらの装置の消費及び電気プロファイルを、個々の装置の電源が入っている状態及び入っていない状態で標本を採る。
【００３６】
したがって、個々の装置はそれらの負荷プロファイル、又は直接な認証（例えば、パブリックキーインフラ又は他の安全なＩＤに基づく照明を使用）で識別され得る。識別する装置は、安全であっても安全でなくても、法律的、規制的、及び社会的方針に基づいて個々の装置におけるカーボンクレジット／借りの蓄積の調整をシステムができるようにする。これらの調整は、装置のタイプ、日／年における時刻、所有者、位置、又は他の可能な基準に基づいて個々の装置に与えられる、方針に基く罰、補助、又は免除をもたらし得る。例えば、電気車椅子には、プラズマテレビより、補助又は免除等が与えられ得、病院にあるプラズマテレビには、個人住宅プラズマテレビより、補助又は免除が与えられ得る。補助又は免除は、低収入又は年寄りのユーザ等が所有すると認証された装置に与えられ得る。
【００３７】
ステップ４０２では、エネルギー生成情報は生成時間に関連付けられる。生成情報は生成のタイプ、生成された電気の量、所定レベル以上に生成されたエネルギーの量（例えばベース負荷生成）、及び／又は発電を行った施設又は組織等を含み得る。生成時間は、電気が生成された時間、計測器によってまたは計測器から生成情報が読み出された時間、又は生成情報が他の場所で受信された時間でもあり得る。１つの口座に複数の生成時間があり得、これは複数の生成時間セグメントにおいて生成されたエネルギーの量を意味する。
【００３８】
ステップ４０３では、使用情報は、与えられたある口座について、電力使用の生成源と、１つの時間セグメント当りの生成源の相対的貢献と、を特定するため、対応する時間セグメントの生成情報に関連付けられる。ステップ４０４では、カーボンインパクトファクターが、１つの時間セグメント当りの生成源の相対的貢献に適用され、１つの時間セグメント当りのカーボンインパクトが計算される。時間セグメント当りのカーボンインパクトは総カーボンインパクトを計算するために用いられ得、並びに、該カーボンインパクトに関連するその口座に適応されうる１つ以上のインセンティブを計算するためにも用いられ得る（カーボンインセンティブは、総カーボンインパクト有り又は無しで時間セグメント情報ごとに計算され得る）。次の例がこれらの観念を説明する。
【００３９】
例１：住宅と関連付けられた電気使用計測器は、ユーティリティネットワークを用いて均一な間隔で計測される。各計測は、計測時間と、住宅によって使用されたエネルギー量と、最後の測定からのエネルギー量の変化と、該住宅及び口座を識別できる識別情報とを含む。１つの特定の測定値はある日の２：１５ＰＭから３：１５ＰＭの１時間の間に１２ｋｗｈが使用されていることを示している。使用情報は、住宅に電力を供給するユーティリティによって作動されるバックオフィスシステムに送信される。
【００４０】
生成を監視するシステムは、特定の時間に生成された電力量及び発電に用いられた方法に注目する。電気が１つ以上の生成源から生成されている場合は、異なる生成源のそれぞれの貢献が確認され、記録される。上記の日の２：１５ＰＭから３：１５ＰＭまでの時間では、５０％が石炭、３０％が原子力、１８％がガス、２％が風力によって生成されている。
【００４１】
カーボンクレジットの使用はその１２ｋｗｈに対して、生成百分率および各生成方法に関連付けられたカーボンファクターを用いて計算される。使用される生成ファクターのカーボンファクター、又はクレジットファクターは、石炭１ｃｒ／ｋｗｈ、原子力０．１ｃｒ／ｋｗｈ、ガス０．５ｃｒ／ｋｗｈ、及び風力―０．２ｃｒ／ｋｗｈである。したがって、上記の日の２：１５ＰＭから３：１５ＰＭまで１２ｋｗｈを使用した住宅は７．３９２カーボンクレジットを使用することになる。
【００４２】
例２：住宅と関連する電気使用計測器はユーティリティネットワークを用いて均一な間隔で計測される。各計測は、計測時間と、住宅によって使用されたエネルギー量と、最後の測定からのエネルギー量の変化と、該住宅及び口座を識別できる識別情報とを含む。１つの特定の測定値はある日の２：１５ＰＭから３：１５ＰＭの１時間の間に１２ｋｗｈが使用されていることを示している。使用情報は、住宅に電力を供給するユーティリティによって作動されるバックオフィスシステムに送信される。
【００４３】
生成を監視するシステムは、特定の時間に生成された電力量及び発電に用いられた方法に注目する。電気が１つ以上の生成源から生成されている場合は、異なる生成源のそれぞれの貢献が確認され、記録される。上記の日の２：１５ＰＭから３：１５ＰＭまでの時間では、５０％が石炭、３０％が原子力、１８％がガス、２％が風力によって生成されている。
【００４４】
カーボンクレジットの使用はその１２ｋｗｈに対して、生成百分率および各生成方法に関連付けられたカーボンファクターを用いて計算される。使用される生成ファクターのカーボンファクター、又はクレジットファクターは、石炭０．２＄／ｋｗｈ、原子力０．０４＄／ｋｗｈ、ガス０．１＄／ｋｗｈ、及び風力―０．０５＄／ｋｗｈである。したがって、上記の日の２：１５ＰＭから３：１５ＰＭまで１２ｋｗｈを使用した住宅には＄１．５５のカーボン追加料金が発生する。その時間における基本料金はｋｗｈ当り＄０．１０であり、＄１．２０の基本電気料金が発生することになる。したがって、消費者はその１時間の電気使用に対して＄２．７５の料金を請求される。
【００４５】
例３：住宅と関連する電気使用計測器はユーティリティネットワークを用いて均一な間隔で計測される。測定は、計測器に関連付けられた通信ノードが測定のコマンドを受信することで行われる（測定コマンドは無線ユーティリティネットワークを介して受信される）。受信ノードは計測器を読み出した後、測定コマンドに反応し、ユーティリティネットワークを介して測定情報をバックオフィスシステムに送信する。測定コマンドに対する反応は、計測時間と、住宅によって使用されたエネルギー量と、最後の測定からのエネルギー量の変化と、該住宅及び口座を識別できる識別情報とを含む。ある日の数時間にわたる測定値は、２：００ＰＭで２１４２０ｋｗｈ、２：３０ＰＭで２１４９０ｋｗｈ、３：００ＰＭで２１５３５ｋｗｈ、３：３０ＰＭで２１５８５ｋｗｈ、４：００ＰＭで２１５９０ｋｗｈであり、２：００ＰＭから４：００ＰＭまでの２時間にわたって１７０ｋｗｈの使用を示している。使用情報は、住宅に電力を供給するユーティリティによって作動されるバックオフィスシステムに送信される。
【００４６】
生成を監視するシステムは、ある時間に生成された電力量及び発電に用いられた方法に注目する。電気が１つ以上の生成源から生成されている場合は、異なる生成源のそれぞれの貢献が確認され、記録される。上記の日の１：００ＰＭから４：３０ＰＭまでの時間では、５０％が石炭、３０％が原子力、１８％がガス、２％が風力によって生成されている。
【００４７】
カーボンクレジットの使用はその１７０ｋｗｈに対して、生成百分率および各生成方法に関連付けられたカーボンファクターを用いて計算される。使用される生成ファクターのカーボンファクターは、石炭１ｃｒ／ｋｗｈ、原子力０．５ｃｒ／ｋｗｈ、ガス０．４ｃｒ／ｋｗｈ、及び風力０ｃｒ／ｋｗｈである。したがって、上記の日の２：００ＰＭから４：００ＰＭまで１７０ｋｗｈを使用した住宅は１２２．７４カーボンクレジットを使用することになる。
【００４８】
上記の例では環境インセンティブを住宅に関連するカーボンクレジットの形式で計算しているが、他の施設又は装置、装備も使用の監視ができ、環境インセンティブが計算でき、１つ以上の口座に適用できる。他の装置の例としては、非限定的に、ＰＨＥＶ、ほかの車両、電気を使用する装置、工業装備などを含み得る。追加的に、環境インセンティブが適用可能な口座は車両の所有者である必要はなく、施設又は装置を使用、出資、作動するもの（例えば車両を貸し出すもの）又は他の形で関連するものでも良い。
【００４９】
電気使用データは読み出される。使用データは使用された時間と関連付けされるために計測器／ＮＩＣによって増加量でタイムスタンプされる。時間と関連付けられた使用データは、カーボンクレジット（又は需要に影響する他のインセンティブ）を計算するために時間関連付けエネルギー生成データと関連付けられる。
【００５０】
例４：住宅と関連付けられた電気使用計測器はＡＭＩネットワークを用いてバッチにまとめて読み出される。計測は複数の時間間隔と、該時間間隔において使用されたエネルギー量と、最後の測定からのエネルギー量の変化と、該住宅及び口座を識別できる識別情報とを含む。通信装置及びＡＭＩネットワークの計測器は間隔的計測をを行い、その情報がＡＭＩネットワークを介してバックオフィスシステムに送信されるまで計測を保存する。１つの特定の計測は、１つの特定の測定値はある日の２：１５ＰＭから３：１５ＰＭの１時間の間に１２ｋｗｈが使用されていることを示している。使用情報は、住宅に電力を供給するユーティリティによって作動されるバックオフィスシステムに送信される。
【００５１】
生成監視システムは特定の時間において生成された電力及びその電力の発電に用いられた方法に注目する。 電気が１つ以上の生成源から生成されている場合は、異なる生成源のそれぞれの貢献が確認され、記録される。上記の日の２：１５ＰＭから３：５ＰＭまでの時間では、５０％が石炭、３０％が原子力、１８％がガス、２％が風力によって生成されている。
【００５２】
カーボンクレジットの使用はその１２ｋｗｈに対して生成百分率と、各生成方法に関連付けられたカーボンファクターを用いて計算される。使用される生成ファクターのカーボンファクターは、石炭１ｃｒ／ｋｗｈ、原子力０．５ｃｒ／ｋｗｈ、ガス０．４ｃｒ／ｋｗｈ、及び風力０ｃｒ／ｋｗｈである。したがって、上記の日の２：１５ＰＭから３：１５ＰＭまで１２ｋｗｈを使用した住宅は８．６６カーボンクレジットを使用することになる。
＜口座所有者によるグリーン生成インセンティブの計算及び割り当て＞
【００５３】
認定されたグリーン生成方法（風力、太陽、水力等）を有するユーザ／口座所有者は、グリッドに電力を供給することに対するカーボンクレジットを口座に受信する（提供される電力に対しての支払いの代わりに、又はそれとは別に追加的に）。カーボンクレジットのレートは発電方法（例えば、風力は水力より多くのクレジットをもらう）、実際のカーボンオフセット（例えば、カーボンをたくさん発生させる発電方法の代わりになる場合はより多くのクレジットをもらい、クリーン発電の代わりになる場合はより少ないクレジット又はノークレジット）、又は一人当りの消費などの他のファクター（例えば、グリッド上なく、全体需要を減らすことに対するクレジット）等によって影響される。
【００５４】
例５：住宅の所有者は、住宅の屋根に太陽電池パネルを取り付けた。夏の間は、住宅の電気消費より、太陽電池パネルによる発電の量のほうが多い。７月には、住宅は１２００ｋｗｈを使用するが、太陽電池パネルは１４５０ｋｗｈを生成する。したがって、住宅の所有者はグリッドに２５０ｋｗｈを売った。しかし、冬の間は、太陽電池パネルが発電できる電気の量より多くの電気を住宅が消費する。１月では、住宅が２１００ｋｗｈを消費し、太陽電池パネルが１１００ｋｗｈを生成し、合計１０００ｋｗｈの電力をグリッドから使用している。
【００５５】
カーボンクレジットの計算は太陽電池パネルによる発電を考慮する。１月には、カーボンクレジットの計算は、住宅の所有者によって使用された８０クレジットをもたらしている。また、住宅の所有者は太陽電池パネルによる発電で６５クレジットを受けており、合計では１５カーボンクレジットだけの消費／使用をもたらしている。グリッドから電力をもらわず、むしろ提供した７月には、合計１５クレジットをもらっている。
【００５６】
太陽電池パネルによる発電量の測定及び報告は、太陽電池パネル（又は他の発電源）や発電源を監視する装置により、施設の使用とグリッドからの使用を比べることによって、提供される電力を推測するため、発電源によって、又は他の工程及び／又は装置によって行われ得る。
＜グリーン発電のためのインセンティブの計算及び関連する口座所有者への割り当て＞
【００５７】
グリーン発電プロジェクトに出資した組織（ユーティリティ又は金融機関等）に関連する口座には、関連するクレジットが割り当てられる。したがって、ユーティリティの多くの顧客が太陽電池パネルを設置すると、ユーティリティはクレジットをもらうことができる。これらのクレジットは顧客のクレジットと同じ種類（例えば、カーボンクレジット）でもよく、異なる種類（例えば、カーボンクレジットの代わりにマーケッティング通貨）でもよい。第１口座計算と同様、カーボンクレジットは発電方法（風力は水力より多くもらえる）、実際のカーボンオフセット（カーボンを多く発生させる発電方法の代わりとなる場合は多くのクレジットをもらい、クリーン発電の代わりになる場合は少ないクレジット又はゼロクレジット）等によって影響される。
【００５８】
例６：住宅の所有者は、住宅の屋根に太陽発電パネルを設置した。これは、ＡＢＣ銀行からのローンで行われた。夏の間には、太陽発電パネルは、住宅での消費より多くの電力を発電する。７月には、住宅は１２０ｋｗｈを使用するが、太陽発電パネルは１４５ｋｗｈを生成した。したがって、住宅の所有者はグリッドに２５ｋｗｈを売り、それは電気ユーティリティ（電力会社）のＢＣＤによって購入された。しかし、冬の間は住宅は太陽発電パネルによる発電より多くの電力を消費する。１月には、住宅は２１０ｋｗｈを消費し、太陽発電パネルは１１０ｋｗｈを発電し、合計１００ｋｗｈの電力をグリッドから消費している（同じ電気会社であるＢＣＤから供給される）。
【００５９】
カーボンクレジットの計算は太陽発電パネルによる発電、太陽発電パネルに出資した組織、及び太陽発電パネルから電力を購入したユーティリティを考慮する。１月には、カーボンクレジットの計算は、住宅の所有者によって使用された８０クレジットをもたらしている。また、住宅の所有者は太陽発電パネルによる発電から６５クレジットをもらっており、合計１５カーボンクレジットの消費／使用をもたらしている。ユーティリティ及び銀行の両方は、太陽発電によって回避できたカーボンの放出に基づいてカーボンクレジットをもらう。銀行及びユーティリティは、回避できたカーボン生成に基づいて夫々５クレジットをもらう。住宅の所有者がグリッドから電気を使わずに、むしろ電力を供給した７月には、住宅の所有者は合計１５クレジットをもらっている。銀行及びユーティリティも、７月の住宅の所有者の太陽発電パネルによる発電からクレジットをもらう。住宅の所有者による全体的な使用が低いため、回避できたカーボン生成も低く、銀行及びユーティリティに割り当てられる最初のカーボンクレジットは夫々３クレジットである。家の所有者の電気使用によるカーボン生成がなかったため、ボーナスのカーボンクレジットである２クレジットが銀行及びユーティリティの両方に、更に与えられる。更に、ユーティリティは家の所有者からカーボン・フリー電力を購入したことに対して４クレジットを、更にもらう。
＜インセンティブの計算及び関連する口座所有者への割り当て＞
【００６０】
ユーティリティのような関連する口座は様々な条件によって関連するクレジットをもらい得る。したがって、ユーザ１名当たりのカーボンインパクトが低下したり（ユーティリティはより多くのカーボンを放出し得るが、ユーティリティによるサービスを受ける人口が増えると、よりクリーンな発電そしてそれによるインセンティブを追求するようになる）、提案された目的を果たしたり、又はその目標を超えたりすることで、ユーティリティはクレジット（同じタイプ又は異なるタイプ）をもらうことができる。
【００６１】
例７：ユーティリティは１０００人の顧客があり、年間平均で１２ｍｗを提供する。ベースロード生成は典型的に水力３０％、２％風力、そして  石炭６８％を含む。電力の需要が最高である時は、発電は水力１５％、風力１％、石炭４９％、そしてガス３５％によって達成される。
【００６２】
ユーティリティの顧客である２１−０７８６は、ある時１００ｋｗｈをもらっており、その電気の発電源は水力２５％、風力２％、石炭６７％、及び６％ガスで構成され、１１カーボンクレジットを使用し得る。顧客２１−０７８６に電力を供給するユーティリティも１１カーボンクレジットを使用する。
【００６３】
１年の間、顧客２１−０７８６には４０００のカーボンクレジットが割り当てられている。この１年間、顧客２１−０７８６は３８４０カーボンクレジットを使用し、顧客２１−０７８６に関連するカーボンクレジット口座には１６０カーボンクレジットが残っている。顧客２１−０７８６に電気を供給するユーティリティは、その顧客に電力を提供することで同じく４０００クレジットを持っており、その顧客に電力を提供するために３８４０クレジットを使用している。したがって、ユーティリティは、顧客２１−０７８６に電力供給することに関連する１６０の使用されていないクレジットを持っている。ユーティリティはこれらのクレジットを、他の顧客へ電力供給し、クレジットを交換又は売却し、又は将来の使用のために貯蓄し得る。
【００６４】
上記の例では、カーボンクレジットのようにエネルギー需要に影響を及ぼす、割り当てられたインセンティブは、使用される電気を生成した施設の種類に基づく。カーボンクレジットの計算には様々な方法が用いられる。１つの例としては、カーボンクレジットが使用データと関連付けられた、ある時間における所定の単位のエネルギーに対して、施設からのカーボン放出の実際の測定値にしたがって計算され得る。異なる例では、カーボンクレジットは、特定の発電施設の単位当たりのカーボン放出の過去値に基づいて計算できる。
【００６５】
発電施設の種類以外のファクターも用いることができる。例えば、新しいユーザがエネルギーを消費し始めたり、又は既存ユーザが使用率を増やしたりすると、それによる需要の上昇はわずかなカーボンインパクトをもたらす。増加した需要によるわずかなインパクトは、該新しい又は使用率を増やしたユーザに対して評価することができ、他のユーザに対しては需要上昇前のカーボンクレジットレートを適用する。代わりに、新しい又は使用率を増やしたユーザはわずかな上昇だけでなく、追加的な発電のための総計カーボンインパクトを評価し、他のユーザに対しては需要上昇前のカーボンクレジットレートを適用するようにしても良い。
【００６６】
割り当てられたクレジット及び／又は適用できるレートは、電気が消費される位置より、装置又は口座に関連付けられ得る。例えば、ＰＨＥＶの所有者は、友達の家を訪問中に車両をコンセントにつなげ得る。そのような場合は、友達の住宅の口座でなく、車両の所有者の口座にその口座のレートで評価される。
【００６７】
口座に基づく異なる実施形態では、クレジットの評価は、口座と関連付けられた消費者の数、及び／又は口座の種類（例えば、住宅、ビジネス、工業、公共等）によって評価される。
【００６８】
電気そのものに対する請求額は口座の種類によって異なり得る。例えば、カーボンクレジットを開くことにしたユーザには、そのような口座を持たないユーザに比べ、消費した電気に対してよりいいレート、又は月々定額を与えることができる。
＜環境インセンティブの購入及び売却＞
【００６９】
ユーティリティの顧客に関連付けられた口座には、規則、法律、又は契約によって義務付けられるようにカーボンクレジットが割り当てられる。個人の住宅所有者、又は電気の生成、伝送、使用に参加する他の者であり得る口座の所有者は、クレジット又は他のインセンティブの購入、売却又は取引のために口座を使用し得る。口座の所有者が異なる種類のクレジット（例えば、地域によって与えられたクレジット、又はある施設に関連付けられたクレジット）を持っている場合は、口座の所有者は不要なクレジットを処分し必要なクレジットを手に入れるためにクレジットを交換し得る。口座の所有者は取引を要請、又は要請された取引に応答し得、自分が取引を求めるインセンティブの種類及び量を指定し得る。口座の所有者は売却が完了するまで購入の注文が与えられないように指定し、又は購入は所定の時刻で行われるように指定し得る（例えば、クレジットが必要であり得る時刻）。
【００７０】
個人の口座所有者によるインセンティブの取引のための市場又は手形交換所は、個々のユーティリティのグリッド管理システム、ユーティリティ内にあり、そのグリッド管理システムとデータを交換する個別のシステム、又はユーティリティ外にあり、ユーティリティとデータを交換する第３者システム（例えば、銀行又は他の金融機関）によって提供され得る。市場はお互いに取引を希望するユーティリティ同士のグリッド管理システムの間又はそれらの内部市場システムの間における特定の相互作用だけを構成することで、又は第３者のプロバイダとの合意によって、それらのユーティリティに限定することが可能である。
【００７１】
例８：ユーティリティＡのある顧客は家の所有者であり、領域ＡにおけるユーティリティＡによってサービスを受ける住宅の所有権に関連して１年に２５００カーボンクレジットをもらい、住宅所有者の口座に割り当てられる。ユーティリティによって提供される電力を消費することで住宅所有者がクレジットを使用すると、住宅所有者の口座のクレジット残高は変化し、クレジットの消費を反映する。住宅所有者は領域ＢにおいてユーティリティＢによってサービスが提供されるもう１つの住宅を所有しており、その住宅の所有権に関連して年間１８００カーボンクレジットをもらい、住宅所有権の口座に割り当てられる。ユーティリティＡ及びＢは異なる規制政権に属するため、ユーティリティＡに関連する住宅の所有権のクレジットはユーティリティＢからの電気消費に直接使うことはできなく、その逆も同様である。
【００７２】
住宅の所有権はユーティリティＡによってサービスが提供される住宅に関連して割り当てられたカーボンクレジット以上に使用しており、該住宅所有者はユーティリティＢによってサービスが提供される住宅に関連して割り当てられたカーボンクレジット以下に使用している。したがって、住宅所有者はユーティリティＢに関連付けられた未使用のクレジットをユーティリティＡに使用することを希望する。これは直接的には不可能であるが、住宅所有者はＢ領域クレジットを、Ｂ領域クレジットの代わりにＡ領域クレジットを希望する人と交換することができ、又はＢ領域クレジットを売却し、Ａ領域クレジットを購入することもできる。購入したクレジットと売却したクレジットとで値段の差がある場合は、過剰現金又はクレジットは口座に割り当てられ、又は他の組織（チャリティまたは家族などの特定のもの）に寄付され得る。同様に不足現金又はクレジットは他の口座（例えば、住宅所有者に関連付けられた当座預金口座）からの現金又は他のインセンティブで補足され得る。
【００７３】
例９：ユーティリティＡのある顧客は家の所有者であり、領域ＡにおけるユーティリティＡによってサービスを受ける住宅の所有権に関連して１年に２５００カーボンクレジットをもらい、住宅所有者の口座に割り当てられる。住宅所有者はユーティリティＢから提供される水道水に関して４０００水クレジットをもらい、これは住宅所有者の口座に割り当てられる。ユーティリティＡによって提供される電力、又はユーティリティＢによって提供される水を消費することで住宅所有者がクレジットを使用すると、住宅所有者の口座の対応するクレジット残高は変化し、クレジットの消費を反映する。住宅所有者は口座にアクセスし、いずれかのタイプのクレジットを売却又は取引することを決定し得る。
【００７４】
住宅所有者は、住宅に関連して与えられたカーボンクレジットより多くのカーボンクレジットを使用し、与えられた水クレジットより少ない水クレジットを使用する。したがって、住宅所有者はユーティリティＢに関連付けられた未使用の水クレジットを、ユーティリティＡからの電気をもらうために使用することを希望する。これは直接的には不可能であるが、住宅所有者はユーティリティＢの水クレジットを、ユーティリティＡの電気クレジットの代わりにユーティリティＢの水クレジットを希望する人と交換することができ、又はユーティリティＢの水クレジットを売却し、ユーティリティＡの電気クレジットを購入することもできる。
【００７５】
例１０：ユーティリティＣの顧客は小さい企業であり、割り当てられたカーボンクレジットより少ないクレジットを使用する。月々の割り当ての１７５０カーボンクレジットの中、２００クレジットがされない。小さい企業の所有者はそのクレジットが蓄積すると自ら売却し得る。しかし、簡略化のために小さい企業の所有者はユーティリティＣの自動売却プログラムに登録し、これのよって各売却の度に企業の所有者が率先する必要なく過剰クレジットが売却されるようになる。小さい企業の所有者は、残高が４５００クレジット以上に至ると売却を行うように特定しており、売却は３７５０クレジットを超える全てのクレジットに対するように設定し、これによって企業所有者は１ヶ月分のクレジット及び２０００クレジットを備蓄し、緊急な事態又は予期しなかった大量使用に対応できるようにしている。
【００７６】
例１１：ユーティリティ１１の顧客は住宅の所有者であり、割り当てられたクレジットより多くのクレジットを頻繁に使う。顧客には１ヶ月に８００クレジットが割り当てられるが、１ヶ月に通常９５０〜１１７０クレジットを使用する。足りない分を補足し、使用時に不十分なクレジットによる罰則を回避するため、住宅所有者は次のような購入規則でカーボンクレジット口座における購入プログラムを設定する。規則１：クレジットの値段が（住宅所有者によって決められた）所定の閾値より下にさがると、又はカーボンクレジットの値段が１０％以上（これも住宅所有者によって設定）下がると、（住宅所有者によって決められた）既定の限定までカーボンクレジットを購入する。規則１は、口座の残高が住宅所有者によって設定された閾値より低くなる場合のみ、購入に使用される。規則２：口座の残高が住宅所有者によって設定された危機的な閾値より下回ると、所定の額（通貨又はクレジット数で設定）までクレジット購入する。住宅所有者が電気を使うと、購入規則は必要なカーボンクレジットを自動的に購入することを可能にする。また、電気の使用が落ちてカーボンクレジット口座のクレジットを使い果たさなくなると、閾値の設定によって購入規則は過剰購入をもたらすことはない。
【００７７】
環境インセンティブの購入、売却、及び取引は２つ以上の口座の間でインセンティブを転送することも含み得、既定の規則に従って行われ得る。
【００７８】
例１２：ユーティリティＥの顧客は複数の施設を運用する軽工業企業である。毎月割り当てられるカーボンクレジットは３２０００クレジットであり、顧客のユーティリティＥの口座に割り当てられる。通常のクレジット使用は毎月割り当てられる量より少なく、平均的に５０００クレジットである。しかし、ある月は割り当てられた量より３０００又は４０００クレジット多く使用する時もある。顧客は通常未使用のクレジットを金融機関Ｇにおける仲介口座から売却する。売却をより便利にするために、顧客はユーティリティＥに従って次のように規定されるカーボンクレジット転送規則を導入する：ユーティリティにおけるカーボンクレジット残高が５００００クレジット以上に達すると４００００クレジット以上の分は金融機関Ｇにおける顧客の仲介口座に転送される。また、顧客は次のように規定する残高転送ルールを導入する：ユーティリティＥにおけるカーボンクレジット残高が４０００クレジットを下回ると、金融機関Ｇにおける顧客の仲介口座の残高まで、４０００までのクレジットを転送する。顧客は、例えばユーティリティＥにおける口座への残高転送要請を満たすために仲介口座の残高が不十分であり、該転送要請は予期した又は現在発生しているユーティリティＥの口座残高の不足に対するものであり、クレジット当たりの購入価格が最大カーボンクレジット購入価格閾値を超えない場合４０００カーボンクレジットまで購入するような自動購入のための規則を導入し得る。
＜インセンティブ情報の表示及び報告＞
【００７９】
インセンティブクレジットを計算するための市場価格及び他の情報は、表示のために１つ以上の装置又はコンピュータに送信され得る。
【００８０】
例１３：住宅の所有者は住宅の暖房を制御するサーモスタットを有する（暖房は電気ヒーターによって作動する）。図５Ａに示されているように、サーモスタットは現在温度５０１と、カーボンインパクト情報５０２と、時間単位毎にカーボンクレジット使用の速度（又は生成速度）５０３と、カーボンクレジット口座残高５０４と、現在の（又は過去の、又は予測される）カーボン使用による、カーボンクレジット口座残高がゼロ（又は閾値）になるまでの予測された時間５０５と、カーボン使用がある使用率より高いか低いかに関する予測（例えば１日のカーボンクレジットの数など）５０６と、エネルギー単位毎のカーボンクレジット率５０６と、を表示する。表示されたカーボン使用率は、住宅全体においてサーモスタットによって制御された暖房システムによるカーボン使用、又は住宅に関連付して使用又は計測された選択された装置又はシステムによるカーボン使用であり得る。他の情報（例えば現在の時刻、外部温度、サーモスタットが設定されたプログラム又はモード５０８など）も表示されても良い。住宅所有者がサーモスタットの設定温度を変更させると、新しい温度を反映するために表示された情報が更新され得る。追加的に、インセンティブを計算又は表示（又は環境インパクト或いはコストを計算又は表示）するためにカーボンインパクト情報又は他の情報が使用される場合は、表示はそのような情報及びその変化によって影響され得る情報を更新し得る。
【００８１】
例１４：住宅所有者は図５Ｂに示されているように住宅に表示装置５４０を持っている。表示装置はカーボンインパクト情報５０２と、カーボンクレジット使用率（又はグリーン発電のような場合は生成率）５０３と、カーボンクレジット残高５０４と、現在の（又は過去の、又は予測される）カーボン使用による、カーボンクレジット口座残高がゼロ（又は閾値）になるまでの予測された時間５０５と、カーボン使用がある使用率より高いか低いかに関する予測（例えば１日のカーボンクレジットの数など）５０６と、カーボンクレジットのコスト５０７と、生成源情報５０８と、カーボンクレジットのコスト５１１と、電気のコスト５１４と、を表示する。カーボン使用率は、サーモスタットによって制御される暖房システムによる使用率、住宅全体の使用率、又は住宅に関連付して使用又は計測された選択された装置又はシステムによるカーボン使用率であり得る。他の情報（例えば現在の時刻、外部温度、サーモスタットが設定されたプログラム又はモード５０８など）も表示されても良い。更に、インセンティブを計算又は表示（又は環境インパクト或いはコストを計算又は表示）するためにカーボンインパクト情報又は他の情報が使用される場合は、表示はそのような情報及びその変化によって影響され得る情報を更新し得る。
【００８２】
更に、表示装置は、表示された画面又はその画面からアクセスできるメニューに、カーボンクレジットを売却及び／購入できる１つ以上のコントロールを含み得る。ボタン５０９はカーボンクレジット購入のためであり、ボタン５１１はカーボンクレジット（又は他の環境インセンティブ）の売却のためである。カーボンクレジットの購入または売却のためのボタンのいずれ又は両方は、所定の量、表示された量（予想される必要又は不要なクレジット、過去における需要又は不要、取引記録などから生成され得る）、又は（以前に、又はカーボンクレジットの購入又は売却ボタンを選択後に）入力される量を取り引きし得る。口座アクセスボタン５１３は住宅所有者に関連するカーボンクレジット口座を回覧、そして相互作用するための画面を提供し、この画面において住宅所有者は残高、売却、購入、取引の回覧と、売却、購入、又は取引の規則又は指示の変更と、売却、購入、取引の完了していない注文の取り消しと、口座に関連する他の情報の回覧及び／又は実行と、を行い得る。クレジットコストフラッグ５２０は、クレジットのコストが大きく変動した時、又は所定の閾値に達した時（又は両方において）警告を出す。クレジット残高フラッグ５２１はカーボンクレジットの残高が残高注意レベルに達すると警告を出す。外残高注意レベルは予め設定し得、又は現在、過去、或いは推定による率による予測に基づき得る。装置回覧ボタン５３２も表示に含まれ得、又はプログラム或いは他の画面又はメニューを介してアクセスでき、これはある装置（例えば、温水ヒーター、コンピュータ、部屋、又は表示装置に関連付けられた他の装置或いはサブ装置のグループであり、一般的に住宅又は施設内又はそれに関連付けられた装置であるが、必ずしもそうである必要はない）に関連する特定の使用を表示できるようにする。装置回覧ボタンを用いて装置又は装置のグループを選択すると、その装置に関する個別の装置が表示され得、又は選択された装置に合致するように表示５４０上に表示された値が変更され得る。表示された値が選択された装置に対応する場合、装置回覧ボタンはハイライトされ得、又は異なる形で視覚的に区別できるようになり得る。又は他の視覚的な印で、表示された値が選択された装置に対応することを示しても良い。表示された値のいくつかが選択された装置に対応する場合は、選択された装置に対応する値は選択された装置に対応しない値から視覚的に区別され得る（例えば、選択された装置に対応する値をハイライト、選択された装置に対応しない値を減少等）。
【００８３】
例１５：住宅所有者は図５Ｃに示されているような表示装置５５０をＰＨＥＶ内に持っている。表示装置はカーボンインパクト情報５０２と、カーボンクレジット使用率（又はグリーン発電のような場合は生成率）５０３と、カーボンクレジット残高５０４と、現在の（又は過去の、又は予測される）カーボン使用による、カーボンクレジット口座残高がゼロ（又は閾値）になるまでの予測された時間５０５と、カーボン使用がある使用率より高いか低いかに関する予測（例えば１日のカーボンクレジットの数など）５０６と、カーボンクレジットのコスト５０７と、生成源情報５０８と、電気のコスト５１４と、ＰＨＥＶ再充電までの時間５５２と、ＰＨＥＶ電池の再充電のコスト５５３と、再充電に必要であるカーボンクレジット５５４と、前回再充電に必要であったカーボンクレジット５５５と、再充電に必要である平均的なカーボンクレジット５５６と、平均再充電と現在の再充電における、ＰＨＥＶの再充電に必要なカーボンクレジットの差５５７と、平均再充電と現在の再充電における、ＰＨＥＶの再充電に必要なカーボンクレジットの差のコスト５５８と、などを表示する。表示されるカーボン使用率は、ＰＨＥＶの再充電によるカーボン使用率、住宅全体の使用率、又は住宅以外にＰＨＥＶの再充電のための電力を引いて来る施設（又は口座）によるカーボン使用率であり得る。
【００８４】
更に、選択された口座アイコン又はメニューが表示され、ＰＨＥＶを操作する者がＰＨＥＶの再充電の際に必要なカーボンクレジットを引いて来る口座（又は電気使用に対する請求がされる口座）を選択できるようにする。カーボンインパクト情報又は他のインセンティブを計算又は表示するために用いられる（又は環境インパクト又はコストを計算又は表示するための）情報が変わると、表示はそのような情報を更新し得、その変更によって影響され得る情報も更新し得る。更に、表示はカーボンクレジットを購入及び／又は売却するための１つ以上のコントロールを、表示に示された形又は表示からアクセスできるメニューに含み得る。ボタン５０９はカーボンクレジットの購入のためであり、ボタン５１１はカーボンクレジット（又は他の環境インセンティブ）の売却のためである。カーボンクレジットの購入または売却のためのボタンのいずれ又は両方は、所定の量、表示された量（予想される必要又は不要なクレジット、過去における需要又は不要、取引記録などから生成され得る）、又は（以前に、又はカーボンクレジットの購入又は売却ボタンを選択後に）入力される量を取り引きし得る。口座アクセスボタン５１３は住宅所有者、ＰＨＥＶ、そしてそのＰＨＥＶを所有する、又はそのために終始する組織等に関連するカーボンクレジット口座を回覧、そして相互作用するための画面を提供する。上記のクレジット残高フラッグのような警告フラッグをＰＨＥＶ表示に含んでも良い。
【００８５】
上記の例には住宅及びＰＨＥＶにおける表示装置を説明しているが、環境インセンティブ情報はいかなる表示装置に表示されても良く、そして如何なる装置も環境インセンティブ情報（並びに他の情報）を表示する表示装置を有しても良い。
【００８６】
図６は所定の施設（住宅、工業施設、又は事務所等）に関連する装置と、その施設のための表示との間の通信を示す、一般化されたブロック図である。表示装置６０１はユーティリティノード６０２と通信し得る。ユーティリティノード６０２は他のユーティリティノード及び／又はバックオフィスシステム６０３と通信し得（直接的に、又はユーティリティネットワークのような通信ネットワーク内の通信装置を介して間接的に）、この通信によってエネルギー使用に関する情報、口座情報、エネルギー源情報、環境インパクト情報等が提供される。又、表示装置は公共通信ネットワーク（例えば、インターネット）又は第３者ネットワークを介してバックオフィスシステム６０３と通信し得る。又、通信ノードは電気ユーティリティ計測器のような１つ以上の計測装置に一体化され、又はその一部を構成し得る。施設内にある他の装置６０５も表示装置６０１、ユーティリティノード６０２、電気ユーティリティ計測器６０４及び／又はバックオフィスシステム６０３と通信し得る。
【００８７】
例１６：住宅の所有者は住宅に表示装置を持っている。表示装置は独立装置であり、住宅に情報センターとして設置されている。あるモードでは外表示装置はカーボンインパクト情報と、カーボンクレジット使用率と、カーボンクレジット口座残高と、現在のカーボン使用による、カーボンクレジット口座残高がゼロになるまでの予測された時間と、カーボン使用がある使用率より高いか低いかに関する予測と、カーボンクレジットのコストと、生成源情報と、複数の装置による消費率（そしてそれらの装置による、住宅の全体カーボン使用の割合）と、住宅内の装置の状況（電源がＯｎ／Ｏｆｆか）と、ＰＨＥＶの状況及び使用とを表示する。表示装置ユーティリティノードのＨＡＮ（Ｈｏｍｅ  Ａｒｅａ  Ｎｅｔｗｏｒｋ）インタフェースを介してユーティリティノードと通信することで、ＨＡＮを介して装置及びＰＨＥＶに関する情報を収集し、該ユーティリティノードはＰＨＥＶ及び他の装置と通信する。少なくとも１つの他の装置がＨＡＮを介してユーティリティノードと通信しており、ユーティリティノードは装置から表示装置まで情報を報告する。
【００８８】
更に、ユーティリティノードはバックオフィスシステムと無線メッシュユーティリティネットワークを介して通信し、生成（発電）に関する情報、カーボンインパクト情報、口座残高情報、及び／又は他の情報を受信する。表示される情報のいくつかはユーティリティノードによって計算される。ユーティリティノードによって計算された表示情報の１つは、住宅及び所定の装置による、１時間当たりのカーボンクレジットの使用である。ユーティリティノードはカーボンインパクト情報と、消費したエネルギー情報とを（住宅及び装置の両方に関して）受信し、カーボン使用率を計算し、ＨＡＮを介してそのカーボン使用率を表示装置に送信する。住宅所有者は、表示装置を介して警告限度及び閾値を設定しており、これはある状況が発生するとき住宅所有者に警告を発するためである。住宅所有者によって設定された条件は次のようである：現在のクレジット使用がＸを超える場合、クレジット残高が８００クレジットを下回る場合、クレジット残高に残された時間が平均使用の１５日以下に落ちた場合、カーボンクレジットの値段がカーボン取引市場においてＹを下回った場合、及びカーボンクレジットの値段がカーボン取引市場においてＺを上回った場合。１つ以上の条件が満たされた場合、表示装置は警告／お知らせがあるという印を表示し、その警告／お知らせに関する具体的情報も含み得る（又は警告／お知らせに関する具体的な情報は表示装置を介してアクセスされ得る）。
【００８９】
上記の例ではユーティリティノードによってカーボンクレジット使用率が計算されているが、異なる実施形態では（計算機能を備え得る）表示装置他の計算装置又はバックオフィスシステムのような他の計算装置によって計算され得る。更に、施設内の１つ以上の装置は、表示されるべき情報に必要は計算のいくつか又は全てを行い得る。警告／お知らせの１つ以上の条件が満たされたことを知らせる通知は、警報音、メールを用いる通知、文字メッセージ、電話の呼出し、他の視覚的通知（表示装置又は他の装置を介して）、又は他のいかなる通知形式を含み得、又はそれらに限定され得る。そのような情報は表示装置の現在イメージ又はその一部を個人ウェブサイトに再現し、住宅にいないとき消費者がその情報を見ることができるようにする。
【００９０】
上記の例における表示装置は住宅内の別個の装置であるが、異なる実施形態ではウェブサイト（例えば、ユーティリティにおける住宅所有者の口座又は仲介組織等におけるインセンティブ取引組織における口座）アクセスするなどによってコンピュータにその情報を表示するようにしても良い。
【００９１】
装置上であれウェブサイト上であれ、インセンティブ情報にはさらなる情報で注釈を付けて個人の消費者又はシステムのプロバイダに提供され得る。例えば、個別の装置又はウェブサイトはエンドユーザにソーシャルネットワーキング機能を与え、直接的に（ユーザがグループに参加する）又は間接的に（ユーザ対同じユーティリティの他の顧客、又は人口、位置、習慣、興味等で）識別される対等者のグループとエネルギー行動を比較し得る。異なる例としては、個人ユーザ又はグループに関連付けられた表示装置又はウェブサイトにはエネルギーに関連する有用な情報、商品又はサービス提供に関する広告等を付け得る。そのような注釈をサポートするにはユーティリティグリッド管理システムはユーザに関する情報を共有し得、特にユーザの全体的又は装置に対するエネルギー消費に関する情報を、そのユーザに商品又はサービスの提供を希望する第三者に共有し得る。１つの例として、ユーティリティは古い又は効率の悪いＨＶＡＣシステムを有するユーザを識別することを補助し、より効率的なＨＶＡＣシステムの提供者はこれらの顧客をターゲットする広告を独立的に又はユーティリティ或いは他の組織（州又は連邦税金還付）によって提供されるインセンティブプログラムとともに提供することが許可される。
【００９２】
図７は電気のようなユーティリティによって提供されるコモディティの消費に基づく環境インセンティブ情報を表示することに関連する表示装置を更新し、それと通信する工程のフローチャートである。説明のために、工程７００は住宅における電気使用に関連付けられたカーボンクレジット情報を表示するために用いられる独立した表示装置に関連して説明される。ステップ７０１ではカーボンインパクト情報が受信される。ステップ７０２では使用情報が受信される。ステップ７０３ではカーボンクレジットレート情報が受信される。ステップ７０４では、ステップ７０４では使用されたカーボンクレジットが計算される（例えば、カーボンクレジットは時間又は日当たりの使用料のような使用率として計算され得る）。ステップ７０５では口座残高情報が受信される。ステップ７０６では口座残高情報が計算される（例えば、口座残高が閾値に達するまで残っている時間、又はＰＨＥＶの充電のようなあるイベントが終了すると口座に残されると予想される残高）。ステップ７０７では受信及び／計算された情報が１つ以上の表示装置に送信される。ステップ７０８では更新情報が受信される。更新は如何なる又は全ての表示された情報又は情報の計算に用いられる情報を含みうる。１つ以上の更新が受信され得、更新で受信されたいくつか又は全ての情報を含む。ステップ７０９では受信された更新情報を用いて、計算された情報が更新される必要があるかを決定する。１つ以上の計算が更新される必要があることが決定されるとステップ７０４に戻り、更新計算を行う。ステップ７０９で更新計算が必要でないと判断されると、工程７００はステップ７１０に進む。又は、ステップ７０９における決定は行わず、更新情報はステップ７０４で計算を更新するために用いられる。ステップ７１０では、表示されるべき情報は表示装置に送信される。表示される情報はいかなる又は全ての受信された及び／又は計算された情報を含む。
【００９３】
カーボンクレジットに関するそのような情報の表示及びそのような情報に基づく通知は、異なるエネルギー消費条件の効果を消費者に理解してもらい、消費者がより責任のある行動をとるように影響を与え得る。消費者の行動に影響を及ぼすことに加え、カーボンクレジット情報は様々な装置をより効率的に作動するように自動的に制御するために用いられ得る。例えば、住宅領域ネットワークはカーボンクレジット情報を受信するコントローラを有し、そのような情報にしたがって１つ以上の装置の作動パラメータを調整し得る。カーボンクレジットの口座残高が閾値を下回ると、所定の装置にエネルギー消費率を下げるような指示を送り得る。例えば、消費者の行動を待たずに冷蔵庫又は冷凍庫の温度を数度上げ得、又は冬にサーモスタットの設定温度を下げ得る。口座の残高がより低い値の第２閾値を下回り続けると、冷蔵庫又は冷凍庫は周期的に電源をＯｎ／Ｏｆｆに切り替え、電気需要を更に減少させ得る。様々な器具及び電子装置に順位を与え、消費減少のための活動を口座残高にしたがって徐々に行い得る。順位は装置の種類又は重要度に基づいて与えられ得る（例えば、冷蔵庫は食器洗い機より重要であり、したがって冷蔵庫は食器洗い機より後に調整される）。代わりに、順位は装置のエネルギー効率にしたがって与えられ、効率の低い装置はより早く調整されるようにしても良い。異なる方法としては、順位は装置同士の協力によって動的に与えられ得る。例えば、順位は過去情報に基づいても良い（例えば、ある装置は長い間ある作業を行っていないため、最近大事な作業を行った装置より高い順位が与えられるべきである）。協力的な順位付けの他の条件は、装置の状態もありうる（例えば、ＰＨＥＶの電池の低い充電状態、又は通勤のために朝の所定の時間におけるＰＨＥＶの充電のような予想される需要）。装置の相対的な順位に基づいて、電源を切ったり又は使用を低くしたりし、より高い順位の装置の需要を満たすようにし得る。この協力的な順位付けは装置同士の直接通信又は中央制御部を介して行っても良い。
【００９４】
使用率及び／又は現在カーボンクレジットレート等のほかのカーボンクレジットファクターに応じて似たような種類の制御を用い得る。
【００９５】
器具及び他の電子装置の効率評価に関する知識も、所定の場所に適用されるカーボンクレジットレートを決定する際にインセンティブを提供するファクターとして用いられ得る。例えば、装置の種類ごとにベースライン効率評価を成立し得る。ある場所においてそのベースラインを下回る各装置に対して、その場所に適用されるカーボンクレジットレーティングは所定のパーセント、増加され得、そのベースラインより高い効率を有する装置の各々に対しては、カーボンクレジットレートは所定のパーセント、減少される。
【００９６】
本発明は特定の実施形態に関連して説明されている。しかし、上記の実施形態以外の特定の形で本発明を実施することが可能であることは当業者には明らかであろう。例えば、上記の例は１つの環境インセンティブとしてカーボンクレジットを用いて説明されている。他の種類のインセンティブの適用性も明であろう。例えば、風力、太陽、水力のような再生可能なエネルギー源が原子力のような種より社会的に好まれるのであれば、適切な形式のクレジット又は他のインセンティブを上記の原則及び例にしたがって適用されても良い。
【００９７】
したがって、上記の実施形態は例示的なものに過ぎず、いかなる意味でも限定的に解釈されるべきではない。発明の範囲は上記の説明でなく、添付された請求項で提供されており、請求項の範囲にある全ての変形及び同等物はその範囲内に含まれるものである。
【００９８】
ここに示された実施形態は、現在好ましい実施形態を説明するためのサブシステム及び機能を組み合わせたものである。異なる実施形態はより少ない又はより多いサブシステム、工程、又は機能を含み得、又は望まれる実施によって他のサブシステム、工程、或いは機能とともに使用され得る。本発明の様々な特徴及び利点は次の請求項に記載されている。
【図１】
0005651594.tif 000002
【図２】
0005651594.tif 000003
【図３−Ａ】
0005651594.tif 000004
【図３−Ｂ】
0005651594.tif 000005
【図３−Ｃ】
0005651594.tif 000006
【図３−Ｄ】
0005651594.tif 000007
【図４】
0005651594.tif 000008
【図５−Ａ】
0005651594.tif 000009
【図５−Ｂ】
0005651594.tif 000010
【図５−Ｃ】
0005651594.tif 000011
【図６】
0005651594.tif 000012
【図７】
0005651594.tif 000013